Podtech/llm-jp-corpus-v4-ja_patent huggingface dataset:
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  可搬データ捕捉装置からデータ処理手段にデータを転送するためのシステムであって、前記データ捕捉装置からデータ処理手段にデータを伝送するための無線通信手段であって、前記データ捕捉装置と通信中の送信機、およびデータ記憶手段と通信中の受信機を備え、送信機が有限伝送範囲を有する無線通信手段と、前記データ捕捉装置によって捕捉されるデータの少なくともいくらかを一時的に記憶するために、前記データ捕捉装置と通信中のバッファと、を備え、そこでは、バッファに一時的に記憶されるデータが、受信機が送信機の伝送範囲内に位置するときに受信機だけに伝送されるシステム。
【請求項２】  バッファが有限のバッファ記憶容量を有し、装置が、バッファが記憶容量まで充填されると、データ捕捉手段がデータの捕捉を停止するようになっている、請求項１に記載されるシステム。
【請求項３】  バッファが記憶容量まで充填されると、ユーザに警告を出すために警報信号が生成される、請求項２に記載されるシステム。
【請求項４】  さらに、受信機が送信機の伝送範囲の外にあるときを検出するための範囲検出手段を備える、請求項１に記載されるシステム。
【請求項５】  さらに、バッファおよび送信機の動作を制御するための制御装置を備える、請求項１に記載されるシステム。
【請求項６】  さらに、ユーザに対して、受信機が伝送範囲の外にいるときを示すためのデータ捕捉装置の位置にある範囲外インジケータを備える、請求項１に記載されるシステム。
【請求項７】  さらに、データが伝送される前にデータを暗号化するための手段を備える、請求項１に記載されるシステム。
【請求項８】  前記データ捕捉装置が、表面に記録されるコード化データを捕捉するように適応される、請求項１に記載されるシステム。
【請求項９】  コード化されたデータが表面上で光学的に符号化される、請求項８に記載されるシステム。
【請求項１０】  データ捕捉装置が、センサが表面のある区域を基準にして移動されるときに区域アイデンテティデータを感知し、移動データを生成するためのセンサを備え、区域アイデンテティデータが区域のアイデンテティを示し、移動データが、区域を基準にしたセンサの移動を示し、表面が、表面と関連付けられる少なくとも１つの区域を示す、その上に置かれるコード化されたデータを有し、コード化されたデータの少なくともいくらうかを使用して区域アイデンテティデータを感知するように構成される区域アイデンテティ感知手段と、移動データを生成するように構成される移動感知手段と、区域アイデンテティデータおよび移動データをコンピュータシステムに通信するように構成される通信手段と、を含むセンサを備える、請求項９に記載されるシステム。
【請求項１１】  移動感知手段が、コード化されたデータの少なくともいくらかを使用して移動データを生成するように構成される、請求項１０に記載されるシステム。
【請求項１２】  コード化されたデータが、区域の複数の基準点も示し、移動感知手段が、基準点の少なくとも１つを基準にしたセンサの移動を基づいて移動データを生成するように構成される、請求項１１に記載されるシステム。
【請求項１３】  コード化されたデータが定期的な要素を含み、移動感知手段が、定期的な要素の少なくとも１つを基準にしてセンサの移動に基づいて移動データを生成するように構成される、請求項１２に記載されるシステム。
【請求項１４】  移動感知手段が、少なくとも１つの基準点または定期的な要素を基準にしたセンサの位置をサンプリングし、それにより移動データを生成するように構成される、請求項１２または１３に記載されるシステム。
【請求項１５】  移動感知手段が、少なくとも１つの加速感知手段を含み、加速感知手段が、それが表面領域を基準にして移動されるにつれて、センサの加速を感知するように構成され、移動感知手段が、加速を定期的にサンプリングすることによって移動データを生成するように構成される、請求項１０に記載されるシステム。
【手続補正書】
【提出日】平成19年5月18日(2007.5.18)
【手続補正１】
【補正対象書類名】明細書
【補正対象項目名】特許請求の範囲
【補正方法】変更
【補正の内容】
【特許請求の範囲】
【請求項１】
オンライン購入を可能にする方法であって、
購入者となる可能性のある者に、購入トランザクションに関連する情報を含むフォームを提供するステップであって、フォームは、そのフォームの識別、およびそのフォームの少なくとも１つの基準点を示すコード化データを含むステップと、
コンピュータ・システムにおいて、フォームの識別と、フォームに対する感知デバイスの位置に関し、感知デバイスからの指示データを受信し、感知デバイスは、フォームに対して動作位置に置かれたとき、コード化データの少なくともいくつかを使用して、指示データを感知するステップと、
コンピュータ・システムにおいて、指示データから、購入トランザクションに関連する少なくとも１つのパラメータを識別するステップと、を含む方法。
【請求項２】
購入トランザクションに関連する前記少なくとも１つのパラメータが、フォームの少なくとも１つのゾーンと関連付けられており、
前記方法が、コンピュータ・システムにおいて、感知デバイスが配置されている基準であるゾーンから、前記少なくとも１つのパラメータを識別するステップを含む請求項１に記載の方法。
【請求項３】
コンピュータ・システムにおいて、フォームに対する感知デバイスの移動に関するデータを受信し、感知デバイスが、コード化データの少なくともいくつかを使用して、フォームに対するその移動を感知するステップと、
コンピュータ・システムにおいて、前記少なくとも１つのゾーンの少なくとも一部における前記移動から、購入トランザクションの前記少なくとも１つのパラメータを識別するステップと、を含む請求項２に記載の方法。
【請求項４】
前記コード化データが、前記少なくとも１つのパラメータをも示す請求項１に記載の方法。
【請求項５】
コンピュータ・システムにおいて、前記購入者となる可能性のある者の識別及び前記フォームの識別に関するデータから、購入トランザクションを識別するステップを、含む請求項１に記載の方法。
【請求項６】
前記少なくとも１つのパラメータは、前記購入トランザクションの、アクション・パラメータ、選択肢パラメータ、テキスト・パラメータ、認可パラメータ、及びピクチャ・パラメータの１つを含む請求項１に記載の方法。
【請求項７】
前記フォームが、購入する項目及び注文受諾の少なくとも１つに関連する情報を含む請求項１に記載の方法。
【請求項８】
オン・デマンドで前記フォームを印刷するステップを含む請求項１に記載の方法。
【請求項９】
表面定義手段の表面上に前記フォームを印刷し、前記フォームの印刷と同時に、前記コード化データを前記表面上に印刷するステップを含む請求項８に記載の方法。
【請求項１０】
赤外インクで前記コード化データを印刷するステップを含む請求項８に記載の方法。
【請求項１１】
生成された各フォームの検索可能な記録を保有するステップを含み、前記フォームは、そのコード化データに含まれている識別を使用して検索可能能である請求項１に記載の方法。
【請求項１２】
マルチキャスト通信プロトコルとポイントキャスト通信プロトコルを混合した物を使用して、複数の前記フォームを配布することを含む請求項１に記載の方法。
【請求項１３】
前記感知デバイスが、一意の識別を感知デバイスに分与する識別手段を含み、購入者となる可能性のある特定の者に属するものとしてそれを識別し、
前記方法が、コンピュータ・システムにおいて前記識別を監視するステップを含む請求項１に記載の方法。
【請求項１４】
少なくともいくつかの前記コード化データが、ターゲット・エリアおよびデータ・エリアを描くように配置されたドット配列で構成される請求項１に記載の方法。
【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】  新聞または雑誌を配信するシステムであって、
新聞または雑誌の情報を選択してフォーマットするように適合された刊行サーバを有するコンピュータ・システムと、
ユーザが新聞または雑誌のコンテンツに関する他の情報に対する要求を示すことを可能にする少なくとも１つの対話要素と共に、新聞または雑誌を生成するために、情報を印刷するプリンタと、
要求を示すために使用され、コンピュータ・システムにデータを送信するように適合されている感知デバイスとを含むシステム。
【請求項２】  刊行サーバが、宣伝材料として、コンテンツの少なくとも一部を含むように適合されている、請求項１に記載のシステム。
【請求項３】  宣伝材料が、ユーザのコンテンツ参照に関連して含まれている、請求項２に記載のシステム。
【請求項４】  さらに、宣伝材料を刊行サーバに提供する宣伝サーバを含む、請求項２に記載のシステム。
【請求項５】  人口統計学的に宣伝材料の対象を定めることを可能にするために、ユーザの人口統計データが刊行サーバによってアクセスするために記憶されている、登録サーバをさらに含む、請求項２に記載のシステム。
【請求項６】  新聞または雑誌が、対話要素を示すデータを含み、かつ新聞または雑誌および／あるいは新聞または雑誌の特定の部分を示すデータを識別する符号化データを含む、請求項１に記載のシステム。
【請求項７】  コンピュータ・システムが、新聞または雑誌に対する感知デバイスの移動に関する移動データを受信し、感知デバイスの前記移動を、前記少なくとも１つの要素に関すると解釈するように適合されている、請求項６に記載のシステム。
【請求項８】  感知デバイスが、符号化データを使用して、新聞または雑誌に対する感知デバイス自体の移動を感知する、請求項７に記載のシステム。
【請求項９】  プリンタが、新聞または雑誌を表面定義構造の上に印刷するのと同時に、符号化データを印刷するように構成されている、請求項６に記載のシステム。
【請求項１０】  符号化データが、赤外線インクで印刷されている、請求項９に記載のシステム。
【請求項１１】  生成された各新聞または雑誌の検索可能な記録を保持するデータベースを含み、各新聞または雑誌が、符号化データに含まれている識別を使用することによって検索可能である、請求項６に記載のシステム。
【請求項１２】  新聞または雑誌が複数のページを含む場合に、プリンタが、新聞または雑誌を綴じるバインディング手段を含む、請求項１に記載のシステム。
【請求項１３】  感知デバイスが、特定のユーザに特有の識別符号を含み、コンピュータ・システムが、感知デバイスの使用を監視するように構成されている、請求項１に記載のシステム。
【請求項１４】  感知デバイスがマーキング・ニブを含む、請求項１に記載のシステム。
【請求項１５】  新聞または雑誌が、表面定義構造の表面上に印刷され、プリンタが、新聞または雑誌をオン・デマンドで印刷する、請求項１に記載のシステム。
【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】  感知デバイスが表面の領域に対して移動されたときに領域識別データを感知し、移動データを生成するための感知デバイスであって、領域識別データは領域の識別を示し、移動データは領域に対する感知デバイスの移動を示し、表面は表面に関連付けられた少なくとも１つの領域を示すコード化データをその上に配置させ、
コード化データの少なくともいくつかを使用して領域識別データを感知するように構成されている領域識別感知手段と、
移動データを生成するように構成されている運動感知手段と、
領域識別データおよび移動データをコンピュータ・システムに伝達するように
構成されている通信手段とを
含む感知デバイス。
【請求項２】  運動感知手段がコード化データの少なくともいくつかを使用して移動データを生成するように構成されていることを特徴とする請求項１に記載の感知デバイス。
【請求項３】  コード化データが領域の複数の基準点も示し、運動感知手段が基準点の少なくとも１つに対する感知デバイスの移動に基づいて移動データを生成するように構成されていることを特徴とする請求項２に記載の感知デバイス。
【請求項４】  コード化データが周期的エレメントを含み、運動感知手段が周期的エレメントの少なくとも１つに対する感知デバイスの移動に基づいて移動データを生成するように構成されていることを特徴とする請求項２に記載の感知デバイス。
【請求項５】  運動感知手段が少なくとも１つの基準点または周期的エレメントに対する感知デバイスの位置をサンプリングするように構成されており、それによって移動データを生成することを特徴とする請求項３または４に記載の感知デバイス。
【請求項６】  少なくとも１つの基準点または周期的エレメントからの感知デバイスの距離を推定するように構成されている距離推定手段をさらに含むことを特徴とする請求項５に記載の感知デバイス。
【請求項７】  通信手段が距離データをコンピュータ・システムに伝達するように構成されており、距離データが距離を示すことを特徴とする請求項６に記載の感知デバイス。
【請求項８】  運動感知手段が距離推定手段によって推定された距離を使用して、少なくとも１つの基準点または周期的エレメントだけによって示されたよりもより正確な感知デバイスの位置を解像するように構成されていることを特徴とする請求項６に記載の感知デバイス。
【請求項９】  コード化データの少なくともいくつかに対する感知デバイスの配向を感知するように構成されている配向感知手段をさらに含むことを特徴とする請求項２に記載の感知デバイス。
【請求項１０】  通信手段が配向データをコンピュータ・システムに伝達するように構成されており、配向データが配向を示すことを特徴とする請求項９に記載の感知デバイス。
【請求項１１】  運動感知手段が加速度感知手段の少なくとも１つを含み、加速度感知手段が、感知デバイスが表面領域に対して移動されたときにその感知デバイスの加速度を感知するように構成されており、運動感知手段が加速度を周期的にサンプリングすることによって移動データを生成するように構成されていることを特徴とする請求項１に記載の感知デバイス。
【請求項１２】  加速度感知手段が少なくとも２つの加速度のほぼ直交した成分を感知するように構成されていることを特徴とする請求項１１に記載の感知デバイス。
【請求項１３】  感知デバイスが表面領域に対して移動されたときに時間基準を生成するように構成されているタイマ手段をさらに含むことを特徴とする請求項１に記載の感知デバイス。
【請求項１４】  通信手段が時間基準データをコンピュータ・システムに伝達するように構成されており、時間基準データはタイマ手段によって生成されたときの移動データの時間基準を示すことを特徴とする請求項１３に記載の感知デバイス。
【請求項１５】  通信手段がワイヤレス通信手段であることを特徴とする請求項１に記載の感知デバイス。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  使用可能なグリーティングカードの品揃えの詳細を含む文書を入手し、該文書が、ユーザが対話データをコンピュータシステムに伝送するように適応されたセンサを使用してカードを選択するために対話する少なくとも１つのユーザ対話型要素を有することと、
センサを使用してカードの品揃えを示すことと、
センサを使用してメッセージを含むことと、
コンピュータシステムを介して受信者アドレスにカードを送信することと、
を含む、グリーティングカードを選択、送達する方法。
【請求項２】  詳細がカードカテゴリのリストとして提示され、各カテゴリのグリーティングカードの画像が、センサを使用してそれぞれのカテゴリを選択することによって追加文書の中で表示するために印刷される、請求項１に記載される方法。
【請求項３】  メッセージを含むステップが、メッセージのリストからメッセージを選択することを含む、請求項１に記載される方法。
【請求項４】  メッセージのリストが、カードが選択された後に印刷される追加文書の中に提供され、該追加文書がメッセージの選択のために関連付けられたユーザ対話型要素を有する、請求項２に記載される方法。
【請求項５】  メッセージを含むステップが、デバイスの移動中に伝送される関連付けられた対話データを捕捉することにより、文書のメッセージ領域に、装置により適用されるカスタマイズされたメッセージを記録することを備える、請求項１に記載される方法。
【請求項６】  カードを送信するステップが、デバイスを使用して、ユーザ対話型要素が具備されるアドレスリストから受信者アドレスを選択することを備える、請求項１に記載される方法。
【請求項７】  カードを送信するステップが、センサを使用して書式のアドレスフィールドに受信者アドレスを書き込み、関連付けられた対話データを記録することにより書き込みを捕捉することを含む、請求項１に記載される方法。
【請求項８】  受信者アドレスがプリンタアドレスに一致し、カードがそのアドレスで印刷することによって送達される、請求項１に記載される方法。
【請求項９】  受信者アドレスが電子メールアドレスに一致し、カードの画像がそのアドレスに送達される、請求項１に記載される方法。
【請求項１０】  受信者アドレスが住所に一致し、カードが、印刷および住所への送達のために近接のメールサービスに送信される、請求項１に記載される方法。
【請求項１１】  カードおよびメッセージのプレビューが、送信前にレビューのために追加文書中に提供される、請求項１に記載される方法。
【請求項１２】  文書が、文書のアイデンテティ、および少なくとも１つの対話型要素を示すコーディングされたデータを含み、方法が、コンピュータシステムの中で、文書を特定し、センサがいつ要素と対話するために使用されるのかを判断するために、文書のアイデンテティおよび文書を基準にしたセンサの位置に関するセンサから表示データを受け取ることを含む、請求項１に記載される方法。
【請求項１３】  コンピュータシステムの中で、文書を基準にしてセンサの移動に関する移動データを受け取ることを含む、請求項１２に記載される方法。
【請求項１４】  コーディングされたデータを使用して文書を基準にしたその移動を感知し、コンピュータシステムの中で、少なくとも部分的に対話型要素と関連付けられたゾーン内にある移動から要求を特定するセンサを含む、請求項１３に記載される方法。
【請求項１５】  可視スペクトルの中で実質的には非可視であるためにコーディングされたデータを印刷することを含む、請求項１２に記載される方法。
【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】  機械的相互作用の位置を検出するための位置センサーであって、
第１の導電性外側層を設け、該層に沿ったあらゆる方向への導電を可能にする、機械的に加工された導電性繊維を有する第１の織布層と、
第１の電位の印加を可能にする、該第１の導電性外側層に電気接続を設ける第１のコネクタと、
第２の電位の印加を可能にする、該第１の導電性外側層に電気接続を設ける第２のコネクタと、
第２の導電性外側層を設け、該層に沿ったあらゆる方向への導電を可能にする、機械加工された導電性繊維を有する第２の織布層と、
該第２の層の電位の測定を可能にする、該第２の導電性外側層に電気接続を設ける第３のコネクタと、
第１の導電性外側層と第２の導電性外側層との間に配置された中央層であって、該中央層が導電手段を有している、中央層と、
該第１の導電性外側層と該導電手段との間に配置された第１の絶縁分離手段と、
該第２の導電性外側層と該導電手段との間に配置された第２の絶縁分離手段と
を有し、
ここで該導電手段が、該第１の導電性外側層と該第２の導電性外側層との間で、機械的相互作用の位置に導電性経路を設けている、位置センサー。
【請求項２】  前記位置センサーが、前記第１の導電性外側層と前記第２の導電性外側層とにだけ、電気接続を有している、請求項１に記載の位置センサー。
【請求項３】  前記第１の導電性外側層と前記第２の導電性外側層の導電性が異方性である、請求項１に記載の位置センサー。
【請求項４】  前記第１の絶縁分離手段が第１の分離絶縁層を備え、前記第２の絶縁手段が第２の分離絶縁層を備える、請求項１に記載の位置センサー。
【請求項５】  前記中央層が前記第１の導電性外側層および前記第２の導電性外側層とは異なる圧縮率を有している、請求項１に記載の位置センサー。
【請求項６】  前記位置センサーが、第２の電気接続を前記第２の導電性外側層に設ける第４のコネクタを備える、請求項１に記載の位置センサー。
【請求項７】  機械的相互作用の位置を検出する方法であって、
（ｉ）以下を有する位置センサー：
導電性繊維が機械加工されて、第１の導電性外側層を設けている第１の織布層であって、該導電性外側層に沿ったあらゆる方向への導電を可能にする第１の織布層、
導電性繊維が機械加工されて、第２の導電性外側層を設けている第２の織布層であって、該導電性外側層に沿ったあらゆる方向への導電を可能にする第２の織布層、
中央層が、該第１の導電性外側層と該第２の導電性外側層との間に配置されるとともに、導電手段を有する中央層、
該第１の導電性外側層と該導電手段との間に配置された第１の絶縁分離手段、
該第２の導電性外側層と該導電手段との間に配置された第２の絶縁分離手段、
を提供する工程；
（ｉｉ）第１の電位を該第１の導電性外側層上の第１のコネクタに印加する工程；
（ｉｉｉ）第２の電位を該第１の導電性外側層上の第２のコネクタに印加する工程；
（ｉｖ）該第２の導電性外側層上の第３のコネクタの電位を測定して、機械的相互作用の位置において該第１の導電性外側層と該第２の導電性外側層との間の導電手段によって設けられる導電性経路の位置を決定する工程、
を包含する、方法。
【請求項８】  前記第１の導電性外側層および前記第２の導電性外側層に異方性導電性を設ける工程を包含する、請求項７に記載の方法。
【請求項９】  前記第１の導電性外側層と前記第２の導電性外側層とにだけ、電気接続を設ける工程を包含する、請求項７に記載の方法。
【請求項１０】  付与された機械的相互作用の位置を検出するための位置センサーであって、機械的相互作用が面積と力とを含んでおり、
導電繊維が機械加工されて、第１の導電性外側層を設けている第１の織布層と、
第１の電位の印加を可能にする、該第１の導電性外側層に電気接続を設ける第１のコネクタと、
第２の電位の印加を可能にする、該第１の導電性外側層に電気接続を設ける第２のコネクタと、
導電繊維が機械加工されて、第２の導電性外側層を設けている第２の織布層と、
該第２の層上の電位の測定を可能にする、該第２の導電性外側層に電気接続を設ける第３のコネクタと、
第１の織布層と第２の織布層との間に配置され、複数の導電性繊維または導電性粒子を含んで、圧縮可能な内側層が圧縮状態で設置された時に、該繊維または粒子により導電性経路が設けられるようにした、圧縮可能な内側層、とを有している、位置センサー。
【請求項１１】  前記第１の織布層および前記第２の織布層のうちの少なくとも１つの導電性が異方性である、請求項１０に記載の位置センサー。
【請求項１２】  前記圧縮可能な内側層が圧縮されたときにより導電性になるように、該圧縮可能な内側層が圧縮可能な構造を有する、請求項１０に記載の位置センサー。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  書籍の情報を提供し、フォーマットするように適応されるサーバ付きのコンピュータシステムと、
ユーザが、書籍のコンテンツに関する情報に対する追加要求を示すことができるようにするために、少なくとも１つの対話型要素を用いて、書籍を作成するために情報を印刷するためのプリンタと、
要求を示すために使用され、コンピュータシステムに要求データを伝送するように用いられるセンサと、
を含む、書籍を配達するためのシステム。
【請求項２】  書籍が、書籍のアイデンテティおよび少なくとも１つの対話型要素を示すコード化されたデータを含む、請求項１に記載されるシステム。
【請求項３】  コンピュータシステムが、書籍を基準にしたセンサの移動に関する移動データを受け取り、それが前記少なくとも１つの要素に関係するとして、センサの前記移動を解釈するように用いられる、請求項２に記載されるシステム。
【請求項４】  センサが、コード化されたデータを使用して、書籍を基準にしたそれ自体の移動を感知する、請求項３に記載されるシステム。
【請求項５】  センサが、特定のユーザに特有の識別コードを含み、コンピュータシステムがセンサの使用を監視するために配列される、請求項１に記載されるシステム。
【請求項６】  センサがマーキングペン先を含む、請求項１に記載されるシステム。
【請求項７】  書籍が、表面画定構造体の表面に印刷され、プリンタがオンデマンドで書籍を印刷する、請求項１に記載されるシステム。
【請求項８】  プリンタが、表面画定構造体に書籍を印刷するのと同時に、コード化されたデータを印刷するために配列される、請求項２に記載されるシステム。
【請求項９】  コード化されたデータが、可視スペクトルの中で実質的には非可視である、請求項２に記載されるシステム。
【請求項１０】  作成される各書籍の検索可能なレコードを保存するためのデータベースを含み、各書籍が、そのコード化されたデータに含まれるようにそのアイデンテティを使用することによって検索できる、請求項２に記載されるシステム。
【請求項１１】  書籍が複数のページを含む場合に、書籍を結合するための結合手段を含む、請求項１に記載されるシステム。
【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】  写真アルバムの作成及び使用を可能にする方法であって、
ユーザに、表示面上に出力される少なくとも１つの写真アルバムフォームを提供する段階であって、前記写真アルバムフォームは、写真アルバムアクティビティに関する情報を含み、写真アルバムフォームの識別及び写真アルバムフォームの少なくとも１つの基準点を示す符号化データを含む前記段階と、
コンピュータシステムにおいて、前記ユーザによって操作される検出デバイスから表示データを受信する段階であって、前記表示データは、写真アルバムフォームの識別及び写真アルバムフォームを基準とする検出デバイスの位置に関し、前記検出デバイスは、写真アルバムフォームを基準とする操作位置に配置された時、少なくともいくつかの前記符号化データを用いて、前記表示データを検出する前記段階と、
コンピュータシステムにおいて、また前記表示データから、写真アルバムアクティビティに関する少なくとも１つのパラメータを識別する段階と、を含むことを特徴とする方法。
【請求項２】  請求項１に記載の方法であって、前記写真アルバムアクティビティに関する前記少なくとも１つのパラメータは、写真アルバムフォームの少なくとも１つの領域と関連付けられており、また前記方法は、コンピュータシステムにおいて、また前記検出デバイスが配置されている領域を基準とする領域から、前記少なくとも１つのパラメータを識別する段階を含むことを特徴とする方法。
【請求項３】  請求項２に記載の方法であって、
コンピュータシステムにおいて検出デバイスの写真アルバムフォームを基準とする動きに関するデータを受信する段階であって、前記検出デバイスは、前記写真アルバムフォームを基準として、少なくともいくつかの前記符号化データを用いてその動きを検出する前記段階と、
コンピュータシステムにおいて、また少なくとも部分的に前記少なくとも１つの領域内の前記動きから、写真アルバムアクティビティの前記少なくとも１つのパラメータを識別する段階と、を含むことを特徴とする方法。
【請求項４】  写真アルバムの作成及び使用を可能にする方法であって、
ユーザに表示面上に出力される少なくとも１つの写真アルバムフォームを提供する段階であって、前記写真アルバムフォームは、写真アルバムアクティビティに関する情報を含み、また写真アルバムアクティビティの少なくとも１つのパラメータを示す符号化データ
を含む情報を含む前記段階と、
コンピュータシステムにおいて、前記ユーザによって操作される検出デバイスから、前記少なくとも１つのパラメータ及び写真アルバムフォームを基準とする検出デバイスの動きに関するデータを受信する段階であって、前記検出デバイスは、写真アルバムフォームを基準として移動した時、少なくともいくつかの前記符号化データを用いて、前記少なくとも１つのパラメータに関するデータを検出し、写真アルバムフォームを基準とするそれ自身の動きに関するデータを生成する前記段階と、
コンピュータシステムにおいて、検出デバイスの前記動きを、それが前記少なくとも１つのパラメータに関するものであると解釈する段階と、を含むことを特徴とする方法。
【請求項６】  請求項１又は４に記載の方法であって、前記パラメータは写真アルバムアクティビティのオプションパラメータであり、前記方法は、コンピュータシステムにおいて、ユーザが検出デバイスによって手書きマークを入力したことを識別し、前記コンピュータシステムにおいてオプションパラメータに関連付けられた操作を実行する段階を含むことを特徴とする方法。
【請求項７】  請求項１又は４に記載の方法であって、前記パラメータは写真アルバムアクティビティの文字パラメータであり、前記方法は、コンピュータシステムにおいて、ユーザが検出デバイスによって手書き文字データを入力したことを識別し、前記コンピュータシステムにおいて前記文字パラメータに関連付けられた操作を実行する段階を含むことを特徴とする方法。
【請求項８】  請求項７に記載の方法であって、コンピュータシステムにおいて、前記手書き文字データをコンピュータ文字に変換する段階を含むことを特徴とする方法。
【請求項９】  請求項１又は４に記載の方法であって、前記パラメータは、写真アルバムアクティビティの許可パラメータであり、前記方法は、コンピュータシステムにおいて、ユーザが検出デバイスによって手書きの署名を入力したことを識別し、前記コンピュータシステムにおいて前記許可パラメータに関連付けられた操作を実行する段階を含むことを特徴とする方法。
【請求項１０】  請求項９に記載の方法であって、コンピュータシステムにおいて、前記署名はユーザのものであることを確認する段階を含むことを特徴とする方法。
【請求項１１】  請求項９３に記載の方法であって、前記許可パラメータは選択された写真へのアクセスに関連付けられていることを特徴とする方法。
【請求項１２】  請求項１又は４に記載の方法であって、前記パラメータは、写真アルバムアクティビティのグラフィックパラメータであり、前記方法は、コンピュータシステムにおいて、ユーザが検出デバイスによって手書きのグラフィック情報を入力したことを識別し、前記コンピュータシステムにおいて前記グラフィックパラメータに関連付けられた操作を実行する段階を含むことを特徴とする方法。
【請求項１３】  請求項１又は４に記載の方法であって、前記表示面は紙ページであり、前記方法は前記ページを要求に応じて出力する段階を含むことを特徴とする方法。
【請求項１４】  請求項１３に記載の方法であって、前記ページを出力する段階を含み、また前記ページが出力されると同時に、前記ページ上に前記符号化データを出力することを特徴とする方法。
【請求項１５】  請求項１３に記載の方法であって、前記符号化データを赤外線インクで出力することを特徴とする方法。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  印刷された情報およびコード化されたデータをその上に有する安全な文書を作成するために適応された少なくとも１つの端末装置であって、該コード化されたデータが安全な文書を示す固有の識別子を含む端末装置と、少なくとも１つの端末装置と通信するために結合され、安全な文書と、文書に関する正当性ステータスおよび／または確実性の情報の間の記憶された一致を有するコンピュータシステムと、安全な文書上で前記コード化されたデータを感知するように適応された少なくとも１台のセンサであって、さらに、安全な文書に対応する記憶された正当性ステータスおよび／または確実性情報を得るために前記コンピュータシステムとの通信のために適応された該センサと、を含む安全文書システム。
【請求項２】  端末装置が、印刷された情報およびコード化されたデータを印刷するためのプリンタを含む、請求項１に記載されるシステム。
【請求項３】  端末装置が、オンデマンドで安全な文書を作成するためにユーザによって制御可能であり、かつコード化されたデータが、前記コンピュータシステムを通して発行者から端末装置に供給される、請求項２に記載されるシステム。
【請求項４】  前記端末装置によって作成される安全な文書を含む、請求項３に記載されるシステム。
【請求項５】  安全な文書が、安全な文書のシート材の向かい合う側面に第１印刷パターンと第２印刷パターンを含み、該第１印刷パターンと第２印刷パターンが、シート材を通して見られると、透かし模様を形成する請求項４に記載されるシステム。
【請求項６】  コード化された情報が、可視スペクトルの中で実質的に非可視となるように、安全な文書で印刷される、請求項１から５のどれか１つに記載されるシステム。
【請求項７】  安全な文書が、前記コンピュータシステムを通したユーザからの要求に応答してオンデマンドで印刷され、印刷された情報が要求側ユーザの写真表現を含む、請求項２に記載されるシステム。
【請求項８】  安全な文書が電子商取引の一部として作成される、請求項４に記載されるシステム。
【請求項９】  安全な文書が切符またはクーポンである、請求項１から８のどれか１つであるシステム。
【請求項１０】  正当性ステータスおよび／または確実性の情報が、切符またはクーポンがその発行者によって取り消されたかどうかの表示を含む、請求項９に記載されるシステム。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】
表面に印刷されるフォームを利用して、ユーザがコンピュータ・システム中で実行中のコンピュータ・ソフトウェアと対話できるようにする方法であって、前記フォームは前記コンピュータ・ソフトウェアに関する情報を含み、前記表面は前記コンピュータ・ソフトウェアに関するテキスト・フィールドを示す符号化データを含み、前記方法は、
前記フォームを前記ユーザに提供するステップと、
前記コンピュータ・システムにおいて、指示データと感知デバイスからの移動データとを受信するステップであって、前記指示データは前記テキスト・フィールドを示し、前記移動データは前記フォームに対する前記感知デバイスの移動を示し、前記感知デバイスは、前記テキスト・フィールドに対して動作可能なように設置されたときに、前記符号化データの少なくともいくつかの感知に少なくとも部分的に基づいて前記指示データを生成し、実質的に同時に前記移動データを生成する、ステップと、
前記コンピュータ・システムにおいて、前記指示データから、前記テキスト・フィールドを識別するステップと、 
少なくとも部分的に、前記移動データ及び前記テキスト・フィールドに関連した命令に基づいて、前記コンピュータ・ソフトウェアを作動させるステップと、
を含む方法。
【請求項２】
前記コンピュータ・システムにおいて、前記フォームからの要求の受信に対応して、前記フォームを印刷するステップを含む請求項１に記載の方法。
【請求項３】
前記フォーム及び前記符号化データを略同時に前記表面に印刷するようにするステップを含む請求項１に記載の方法。
【請求項４】
テキスト認識を前記移動データについて実行し、コンピュータ・テキストを生成するステップを含む請求項１に記載の方法。
【請求項５】
さらに、コンピュータ・システム中で、移動データが、ユーザが表面上に描いたテキスト編集コマンドを示すかどうかを認識するステップを含む請求項１に記載の方法。
【請求項６】
前記編集コマンドが認識された場合に、前記編集コマンドに関連付けられた命令に従って前記コンピュータ・システムを作動させる請求項５に記載の方法。
【請求項７】
前記編集コマンドが、取り消し線、下線、カット、ペースト、および再配置、のいずれかから選択される請求項５に記載の方法。
【請求項８】
前記編集コマンドが、前記テキスト・フィールドに関連付けられたコンピュータ・テキストに適用される請求項６に記載の方法。
【請求項９】
前記編集コマンドが、１つまたは複数の文字、単語、または段落に適用される請求項６に記載の方法。
【請求項１０】
前記ユーザを識別するステップを含む請求項１に記載の方法。
【請求項１１】
前記ユーザを識別するステップは、前記移動データを用いることを含む請求項１０に記載の方法。
【請求項１２】
さらに、前記コンピュータ・システムにおいて、前記ユーザの識別を示すデータを受信するステップを含む請求項１０に記載の方法。
【請求項１３】
さらに、前記コンピュータ・システムにおいて、前記感知デバイスの記憶装置から、前記ユーザの識別を示すデータを受信するステップを含む請求項１０に記載の方法。
【請求項１４】
前記コンピュータ・システムにおいて、少なくとも前記テキスト・フィールドを示すデータを前記コンピュータ・ソフトウェアに送信するステップを含む請求項１に記載の方法。
【請求項１５】
前記テキスト・フィールドは、前記表面上に定義された目に見えるテキスト・ゾーンに関連付けられる請求項１に記載の方法。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】
インタフェース表面及び感知デバイスを用いて、コンピュータ・システムからのドキュメントを印刷又は表示する方法であって、
前記インタフェース表面は、可視テキスト情報とほぼ不可視のコード化データとを有するインタフェースを含み、前記感知デバイスは、ユーザがインタフェース表面に対して動作可能な位置に配置して前記テキスト情報の少なくともいくつかを指定したときに、前記コード化データの少なくともいくつかを用いて前記ドキュメントを示す指示データを生成し、
前記方法は、前記コンピュータ・システムにおいて、
前記感知デバイスから前記指示データを受信するステップと、
印刷するためのプリンタまたは表示するための表示デバイスに前記ドキュメントを送信するステップと 
を含む方法。
【請求項２】
ユーザによって指定されるテキスト情報が、ユーザに対して少なくとも部分的にオペレーションを示す、請求項１に記載の方法。
【請求項３】
ユーザによって指定されるテキスト情報が、指示データが基づくコード化データに隣接するか、またはほぼ一致する、請求項２に記載の方法。
【請求項４】
テキスト情報が、 テキスト、グラフィックを基本とするテキスト、アイコン、および ハイパーテキスト・リンクの任意の組合せの形態をとる、請求項３に記載の方法。
【請求項５】
前記コード化データが１つまたは複数の制御タグの形態をとる、請求項３に記載の方法。
【請求項６】
前記制御タグのそれぞれが制御情報の離散的バンドルを定義する、請求項５に記載の方法。
【請求項７】
前記制御タグのそれぞれが所定の空間的広がりを有する、請求項５に記載の方法。
【請求項８】
前記制御タグがバー・コードの形態をとる、請求項５に記載の方法。
【請求項９】
前記バー・コードが２次元バー・コードである、請求項８に記載の方法。
【請求項１０】
各制御タグが、同じ表面に関連付けられた他の制御タグによって定義されたコード化データと比較して一意的であるコード化データを定義する、請求項５に記載の方法。
【請求項１１】
各制御タグに関連付けられた前記一意的なコード化データが前記表面上の前記制御タグの位置を識別する、請求項１０に記載の方法。
【請求項１２】
前記位置が前記表面自体に対して識別される、請求項１１に記載の方法。
【請求項１３】
前記位置が他の制御タグに対して識別される、請求項１１に記載の方法。
【請求項１４】
前記制御タグのそれぞれが、制御情報の他に少なくとも１つの共通機能を含む、請求項５に記載の方法。
【請求項１５】
少なくとも１つの共通機能が、関連付けられた制御タグ読取り装置によって前記制御タグの発見および／または認識を支援するように構成されている、請求項１４に記載の方法。
【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  コンピュータソフトウェアに関する情報を含み、コンピュータソフトウェアに関する少なくとも１個の対話エレメントを表すコード化データを含むインタフェース面と、
ユーザのＩＤを表す識別データを含み、インタフェース面に対して作動可能な位置に配された場合に、コード化データの少なくとも幾つかを用いて、少なくとも１個の対話エレメントを表す表示データを検知する検知装置とを介して、ユーザとコンピュータシステム内で作動するコンピュータソフトウェアとの対話を可能にする方法であって、
コンピュータシステム内において、該対話が、
（ａ）検知装置から識別データを受信するステップと、
（ｂ）検知装置から表示データを受信するステップと、
（ｃ）表示データから少なくとも１個の対話エレメントを識別するステップと、
（ｄ）識別データからユーザデータを識別するステップと、
（ｅ）ユーザデータに少なくとも部分的に依存し、かつ少なくとも１個の対話エレメントに関連付けられた命令に従ってコンピュータソフトウェアを作動させるステップとを備える方法。
【請求項２】  ユーザとコンピュータシステムで作動するコンピュータソフトウェアとの対話を可能にする方法であって、
コンピュータソフトウェアに関する情報と、コンピュータソフトウェアに関する少なくとも１個の対話エレメントを表すコード化データとを含むインタフェース面を提供するステップと、
コンピュータシステムにおいて、
（ａ）検知装置から識別データを受信するステップと、検知装置が識別データを含み、その識別データはユーザのＩＤを表すことと、
（ｂ）検知装置から表示データを受信するステップと、検知装置が、インタフェース面に対して作動可能な位置に配された場合に、コード化データの少なくとも幾つかを用いて、表示データを検知し、その表示データは少なくとも１個の対話エレメントを表すことと、
（ｃ）表示データから少なくとも１個の対話エレメントを識別するステップと、
（ｄ）識別データからユーザデータを識別するステップと、
（ｅ）ユーザデータに少なくとも部分的に依存し、かつ少なくとも１個の対話エレメントに関連付けられた命令に従ってコンピュータソフトウェアを作動させるステップとを備える方法。
【請求項３】  請求項１または２に記載の方法であって、ユーザデータが、識別データ及び表示データの双方から識別される方法。
【請求項４】  請求項１または２に記載の方法であって、コード化データ、したがって表示データが、インタフェース面のＩＤと、インタフェース面の少なくとも１個の基準点とを表す方法。
【請求項５】  請求項４に記載の方法であって、検知装置がインタフェース面に対する該検知装置の移動を表す移動データを生成し、該方法がコンピュータシステムにおいて前記移動データを受信するステップを含む方法。
【請求項６】  請求項１または２に記載の方法であって、対話エレメントが、コンピュータソフトウェアに関するハイパーリンクエレメントであり、該方法が、コンピュータシステムにおいて、ハイパーリンクエレメントに関連付けられた操作を実行するステップを含む方法。
【請求項７】  請求項１または２に記載の方法であって、対話エレメントが、コンピュータソフトウェアに関するチェックボックスフィールドであり、該方法が、コンピュータシステムにおいて、ユーザが、手描きのマークを入力したことを検知装置によって識別するステップと、コンピュータシステムにおいて、チェックボックスフィールドに関連付けられた操作を実行するステップとを含む方法。
【請求項８】  請求項１または２に記載の方法であって、対話エレメントが、コンピュータソフトウェアに関するテキストフィールドであり、該方法が、コンピュータシステムにおいて、ユーザが、手書きのテキストデータを入力したことを検知装置によって識別するステップと、コンピュータシステムにおいて、テキストフィールドに関連付けられた操作を実行するステップとを含む方法。
【請求項９】  請求項８に記載の方法であって、コンピュータシステムにおいて、手書きのテキストデータをコンピュータテキストに変換するステップを含む方法。
【請求項１０】  請求項９に記載の方法であって、コンピュータシステムにおいて、コンピュータテキストをテキストフィールドに関連させるステップを含む方法。
【請求項１１】  請求項１または２に記載の方法であって、対話エレメントが、コンピュータソフトウェアに関する署名フィールドであり、該方法が、コンピュータシステムにおいて、ユーザが、手書きの署名を入力したことを検知装置によって識別するステップと、コンピュータシステムにおいて、署名フィールドに関連付けられた操作を実行するステップとを含む方法。
【請求項１２】  請求項１１に記載の方法であって、コンピュータシステムにおいて、署名がそのユーザの署名であることを検証するステップを含む方法。
【請求項１３】  請求項１または２に記載の方法であって、対話エレメントはコンピュータソフトウェアに関する描画フィールドであり、該方法は、コンピュータシステムにおいて、ユーザが手描きの図を入力したことを検知装置によって識別するステップと、コンピュータシステムにおいて描画フィールドに関連付けられた操作を実行するステップとを含む方法。
【請求項１４】  請求項１または２に記載の方法であって、オンデマンドでインタフェース面を印刷するステップを含む方法。
【請求項１５】  請求項１４に記載の方法であって、インタフェース面とコード化データとを基板上にほぼ同時に印刷するステップを含む方法。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  可視グラフィック情報と、ほぼ不可視のコード化データとを含むインタフェースを備えるインタフェース面と、
グラフィック情報の少なくとも幾つかを指定するため、ユーザによってインタフェース面に対して作動可能な位置に配されると、コード化データの少なくとも幾つかを用いて操作を表す表示データを検知する検知装置とを介して、ユーザがコンピュータシステムに対して操作を実行するように指示するのを可能にする方法であって、
コンピュータシステムにおいて、該方法が、
検知装置から表示データを受信するステップと、
表示データによって示される操作を実行するステップとを備え、
ユーザにより指定されるグラフィック情報が、ユーザに対して操作を少なくとも部分的に示している方法。
【請求項２】  請求項１に記載の方法であって、ユーザにより指定されるグラフィック情報は、表示データが基づくコード化データに隣接するか、またはほぼ一致している方法。
【請求項３】  請求項１に記載の方法であって、コード化データが１つ以上の制御タグの形態をとる方法。
【請求項４】  請求項３に記載の方法であって、各制御タグがコード化データの別個のバンドル（ｄｉｓｃｒｅｔｅ  ｂｕｎｄｌｅ）を定義する方法。
【請求項５】  請求項３に記載の方法であって、各制御タグが、前記面上において所定空間範囲を有する方法。
【請求項６】  請求項３に記載の方法であって、タグがバーコードの形態をとる方法。
【請求項７】  請求項６に記載の方法であって、バーコードが２次元バーコードである方法。
【請求項８】  請求項３に記載の方法であって、各制御タグが、同一面上にある他の制御タグによって定義されるコード化データと比較して一意的であるコード化データを定義する方法。
【請求項９】  請求項８に記載の方法であって、各制御タグに関連付けられた一意的コード化データが、前記面のある領域内における当該制御タグの位置を識別する方法。
【請求項１０】  請求項９に記載の方法であって、位置が該領域に対して識別される方法。
【請求項１１】  請求項９に記載の方法であって、位置が、同一面上の他の制御タグに対して識別される方法。
【請求項１２】  請求項３乃至１１のいずれか１項に記載の方法であって、各制御タグがコード化データに加えて、共通形状特徴を含む方法。
【請求項１３】  請求項１２に記載の方法であって、共通形状特徴が、情報の冗長性を組み込むフォーマットで表される方法。
【請求項１４】  請求項３乃至１１のいずれか１項に記載の方法であって、各制御タグが、読み取り中の制御タグの回転の向きの確認を可能にする１つ以上の配向的形状特徴を含む方法。
【請求項１５】  請求項１４に記載の方法であって、配向的形状特徴が、情報の冗長性を組み込むフォーマットで表される方法。
【手続補正２】
【補正対象書類名】図面
【補正対象項目名】図７
【補正方法】変更
【補正の内容】
【図７】
2003500731.tif 000001
【手続補正３】
【補正対象書類名】図面
【補正対象項目名】図１６
【補正方法】変更
【補正の内容】
【図１６】
2003500731.tif 000002
【手続補正４】
【補正対象書類名】図面
【補正対象項目名】図３８
【補正方法】変更
【補正の内容】
【図３８】
2003500731.tif 000003
【手続補正５】
【補正対象書類名】図面
【補正対象項目名】図３８ａ
【補正方法】変更
【補正の内容】
【図３８ａ】
2003500731.tif 000004
【手続補正６】
【補正対象書類名】図面
【補正対象項目名】図４５
【補正方法】変更
【補正の内容】
【図４５】
2003500731.tif 000005
【手続補正書】
【提出日】平成19年5月24日(2007.5.24)
【手続補正１】
【補正対象書類名】明細書
【補正対象項目名】特許請求の範囲
【補正方法】変更
【補正の内容】
【特許請求の範囲】
【請求項１】
第１の面上に第１のインターフェースを印刷し、それにより、第１のインターフェース面を生成するためのプリンタであって、前記第１のインターフェースが第１のコード化されたデータを含み、少なくとも１つの識別を示す第１の識別データを含む第１の文書データに少なくとも部分的に基づいていて、前記識別が前記第１のインターフェースのある領域と関連していて、前記プリンタが、
アクチュエータと、
少なくとも部分的に前記第１の識別データに基づいて前記第１のコード化されたデータを発生するように構成されているコード化データ・ゼネレータと、
印刷機構とを含み、
前記アクチュエータの動作に応じて、前記印刷機構により、前記第１の面上に前記第１のインターフェースを印刷するように構成されているプリンタ。
【請求項２】
請求項１記載のプリンタにおいて、前記第１のインターフェースが、前記第１のコード化されたデータの他に、目で見ることができる情報を含み、前記目で見ることができる情報が、少なくとも部分的に前記第１の文書データに基づいているプリンタ。
【請求項３】
請求項２記載のプリンタにおいて、前記目で見ることができる情報が、ユーザに対して１つまたはそれ以上のオプションを示すものであって、
前記オプションの中の少なくとも１つに関連する二次文書データを示すとともに、前記オプションの中の１つが感知デバイスにより指定された場合に、前記感知デバイスにより前記第１のコード化データから感知される表示データを受信し、
少なくとも部分的に前記二次文書データに基づいて第２のコード化されたデータを発生し、
前記表示データに基づいて第２の面上に第２のインターフェースを印刷するように構成されているプリンタ。
【請求項４】
請求項３記載のプリンタにおいて、前記プリンタが、前記感知デバイスから前記表示データを受信し、
前記第１の表示データに基づいて、前記応答データの少なくとも一部を示す第２の表示データを発生し、
コンピュータ・システムに前記第２の表示データを送るように構成されている入力モジュールを含み、
前記プリンタが、前記コンピュータ・システムから前記二次文書データを受信するように構成されているプリンタ。
【請求項５】
請求項１記載プリンタにおいて、前記第１のコード化されたデータが、前記第１のインターフェースに関連するある領域の少なくとも１つの基準点を示すプリンタ。
【請求項６】
請求項５記載のプリンタにおいて、前記少なくとも１つの基準点が、コード化されたデータ層に基づいて決定されるプリンタ。
【請求項７】
請求項６記載のプリンタにおいて、前記プリンタが、前記コンピュータ・システムから前記コード化されたデータ・レイアウトを受信するように構成されているプリンタ。
【請求項８】
請求項７記載のプリンタにおいて、さらに、複数のコード化されたデータ・レイアウトを記憶するための記憶手段を含み、
前記コンピュータ・システムから前記コード化されたデータ・レイアウトの中の１つを示すレイアウト選択情報を受信し、
前記少なくとも１つの基準点を決定する際に使用するための、前記記憶したコード化されたレイアウトの中の１つを選択するために、前記レイアウト選択情報を使用するプリンタ。
【請求項９】
請求項１記載のプリンタにおいて、前記第１のコード化されたデータが赤外線インクで印刷されているプリンタ。
【請求項１０】
請求項１−請求項４の何れか１項記載のプリンタにおいて、前記第１のコード化されたデータが、それぞれが前記領域の識別を示す少なくとも１つのタグを含むプリンタ。
【請求項１１】
請求項１０記載のプリンタにおいて、前記第１のコード化されたデータが、複数のタグを含み、前記コード化されたデータ・ゼネレータが、印刷の前にタグの位置を確認するように構成されていて、前記各位置が、コード化されたデータ・レイアウトに基づいて決定されるプリンタ。
【請求項１２】
請求項１１記載のプリンタにおいて、前記コード化されたデータ・ゼネレータが、前記第１のコード化されたデータの印刷が行われる前に、前記コンピュータ・システムから前記コード化されたデータ・レイアウトを受信するように構成されているプリンタ。
【請求項１３】
請求項１０記載のプリンタにおいて、各タグが、
前記タグの相対的位置を定義する第１の識別データと、
前記領域を識別する第２の識別データとを含むプリンタ。
【請求項１４】
請求項１０記載のプリンタにおいて、前記タグが、前記第１の面上の所定の位置に配置されるプリンタ。
【請求項１５】
請求項１−請求項４または請求項５−請求項９の何れか１項記載のプリンタにおいて、前記プリンタが、必要に応じて、前記第１の面上に前記第１のインターフェースを印刷するように構成されているプリンタ。